(57)【要約】      （修正有）【課題】段差解消のためにピットの掘り直しを行う必要がない混載型駐車装置。【解決手段】主務チェーン６が複数のリンクを連結して構成され、リンクのうちの一部がケージを主務チェーンに吊り下げるためのアタッチメントリンク１５を構成し、特定駐車塔のケージがその車両載置面から同一高さの部位がアタッチメントリンクに枢支され、そのケージのうちハイルーフ車用ケージ１３が、中間部を上方に湾曲させられた吊り軸１８をその上部に有し、主務チェーン６のアタッチメントリンク１５の配置リンクピッチが、ハイルーフ車用ケージ１３に対応する部分と普通車用ケージ１２に対応する部分とで異なるように構成されている。【選択図】図１
2005188244.tif 000002
【特許請求の範囲】
【請求項１】
入出庫口を有する第一駐車塔と、
該第一駐車塔に順次隣接して設置された第二駐車塔であって、ハイルーフ車を収容することができる特定駐車塔を含んだ少なくとも一棟の第二駐車塔と、
各駐車塔内に配設された上スプロケットおよび下スプロケットと、
該上スプロケットおよび下スプロケットに掛け回された無端の主務チェーンと、
該主務チェーンに吊り下げられた複数の車両搭載用のケージと、
各駐車塔に車両を搬送するための走行台車と、
入出庫階の床面に形成された、走行台車が駐車塔間を移動するためのピットとを備えており、
車両の入出庫口から見た最奧の駐車塔以外の駐車塔のケージ数はそれぞれ、主務チェーンに過不足無く連続して吊り下げられるケージ数より少なくとも一つ少なくされており、
上記主務チェーンが複数のリンクを連結することによって構成され、該リンクのうちの一部がケージを主務チェーンに吊り下げるためのアタッチメントリンクを構成しており、
上記特定駐車塔においては、全てのケージがその車両載置面から同一高さの部位が上記アタッチメントリンクに枢支されており、そのケージのうちハイルーフ車を収容するためのケージが中間部を上方に湾曲させられた吊り軸をその上部に有しており、主務チェーンにおけるアタッチメントリンクの配置されるリンクピッチが、ハイルーフ車用ケージに対応する部分と普通車用ケージに対応する部分とで異なるように構成されてなる連立型垂直循環式駐車装置。
【請求項２】
上記第二駐車塔においては、全ケージが車両搭載用パレットを載置するための矩形の下枠を備えており、上記走行台車が旋回可能且つ昇降可能なパレット搭載部を有しており、上記矩形下枠のうち入出庫側の辺が、走行台車または搭載車両が通過しうるように切り欠かれてなる請求項１記載の連立型垂直循環式駐車装置。
【請求項３】
上記第二駐車塔においては、隣接駐車塔との間の走行台車の移動方向に垂直である鉛直平面内でケージが循環するように構成されてなる請求項１または２記載の連立型垂直循環式駐車装置。
【請求項４】
上記第二駐車塔においては、全てのケージにパレットが着脱可能に載置されるように構成されてなる請求項１〜３のうちのいずれか一の項に記載の連立型垂直循環式駐車装置。
【請求項５】
隣接して設置された複数の駐車塔と、各駐車塔内に配設された上スプロケットおよび下スプロケットと、該両スプロケット間に掛け渡された、連結された複数のリンクからなる無端の主務チェーンと、該主務チェーンに吊り下げられた複数の車両搭載用ケージと、入出庫階に形成されたピット内を通って各駐車塔に車両を搬送するための走行台車とを備え、上記複数のリンクのうちの一部が主務チェーンにケージを吊り下げるためのアタッチメントリンクである連立型垂直循環式駐車装置における、少なくとも一の駐車塔の上記車両搭載用ケージの少なくとも一部を普通車用ケージからハイルーフ車用ケージに改造するための方法であって、
該アタッチメントリンクに吊り下げられている普通車搭載用ケージのうちの少なくとも一部を、普通車搭載用ケージよりも高さ寸法の大きいハイルーフ車搭載用ケージに交換し、
上記アタッチメントリンクを配置するリンクピッチを、ハイルーフ車搭載用ケージの取り付け可能なリンクピッチに変更してケージを取り付けるものであり、
上記ハイルーフ車搭載用ケージが、車両搭載空間の上端が普通車搭載用ケージのそれより高く、車両載置面からアタッチメントリンクへの枢支部位までの寸法が普通車搭載用ケージのそれとほぼ同一である連立型垂直循環式駐車装置の改造方法。
【請求項６】
上記ケージの交換およびアタッチメントリンクの配置替えに際し、アタッチメントリンクを含めた主務チェーンの全リンク数を改造前から加減しない条件で、吊下可能な最多ケージ数を決定する請求項５記載の連立型垂直循環式駐車装置の改造方法。
【請求項７】
上記ケージの交換およびアタッチメントリンクの配置替えに際し、
アタッチメントリンクを含めた主務チェーンの全リンク数を改造前から加減しない条件で、吊下可能な最多ケージ数を仮決定し、
該最多数のケージを連続して主務チェーンに吊り下げた場合に、ケージ間に無駄空間を生じるリンクを除去する請求項５記載の連立型垂直循環式駐車装置の改造方法。
【発明の詳細な説明】
【技術分野】
【０００１】
本発明は連立型垂直循環式駐車装置およびその改造方法に関する。さらに詳しくは、複数塔の垂直循環式の駐車塔が隣接して設置され、入出庫車両が駐車塔間を移送されうるように構成された連立型垂直循環式駐車装置とその改造方法に関する。
【背景技術】
【０００２】
従来、垂直循環式駐車装置が二棟連立した連立型垂直循環式駐車装置（以下、単に駐車装置ともいう）が知られている（たとえば特許文献１参照）。この駐車装置における各駐車塔（塔屋）は、その梁や柱等の構造物に取り付けられた上スプロケットおよび下スプロケットを備えている。これら両スプロケットの間に無端の主務チェーンが掛け回されている。この主務チェーンは複数のリンクが連結されることによって構成されている。このうちのいくつかのリンクには、車両を格納するケージが吊り下げられている。ここでは、ケージが吊り下げられるリンクをアタッチメントリンクと呼ぶ。そして、モータ等の駆動源によって上スプロケットを回転させることにより、ケージを上下に循環移動させるように構成されている。
【０００３】
この駐車装置では、二棟の駐車塔ともケージの長手方向が入出庫車両の進行方向に平行にされている。すなわち、ケージおよび主務チェーンは入出庫車両の進行方向に垂直な鉛直平面内で循環するように構成されている。そして、二棟のうち一棟には入出庫口が形成されている。両駐車塔にわたって入出庫階の床面にピットが形成されており、駐車塔間に車両を移送するためにこのピット内を走行台車が横行しうるように構成されている。この走行台車は旋回および昇降が可能なパレット載置台を有している。
【０００４】
このような連立型垂直循環式駐車装置では、一般に入出庫口が形成された駐車塔（入口側駐車塔という）の主務チェーンにはケージが取り付けられていない区間が一カ所設けられている。これは、もう一方の駐車塔（奥側駐車塔という）の出入庫の際に、走行台車に乗った車両がケージに干渉することなく入口側駐車塔を通過するためである。したがって、車両が入口側駐車塔を通過するときには主務チェーンが循環しての入出庫階にはケージが存在しないスペースを生じさせている。
【０００５】
この駐車装置においては、入口側駐車塔は車高の比較的低い普通車のみを収容するように構成されており、奥側駐車塔は普通車および比較的車高が高いハイルーフ車の両方を収容するように構成されている。普通車およびハイルーフ車ともに収容する場合、駐車塔の収容効率を低下させないためにハイルーフ車用のケージの高さ寸法を普通車用のそれより大きくしている。普通車に対しても画一的にハイルーフ車用のケージを用いれば収容効率が低下するからである。また、このハイルーフ車用ケージは、その車両載置面から主務チェーンへの吊り下げ位置までの高さ寸法も普通車用のそれより大きくされている。
【０００６】
このようにすると、ハイルーフ車も収容する奥側駐車塔では入出庫階の上下スペースをハイルーフ車に対応させるために入口側駐車塔のそれより大きくする必要がある。そのためには、ピットの深さをハイルーフ車乗り入れに必要な深さにする必要がある。
【０００７】
その結果、普通車のみ収容する連立型駐車装置を、ハイルーフ車専用にまたは普通車とハイルーフ車との混載型に変更する際にはその改造工事が大規模なものとる。ピットを掘り直して深くしなければならない。また、下スプロケットおよび主務チェーンの組み立て体をその分だけ下方に移動させる必要もある。そうすると、車両乗り入れ面と奥側駐車塔のケージの車両載置面との間に段差が生じる。
【特許文献１】特公平７−９９０５２号公報
【発明の開示】
【発明が解決しようとする課題】
【０００８】
本願発明は、ハイルーフ車専用型または普通車とハイルーフ車との混載型の駐車塔を有する連立型垂直循環式駐車装置を新たに建造する場合に、従来のものから大きな設計変更がなく追加部品が少ないために利点を得ることができる駐車装置を提供すること、および、普通車用ケージのみを有する既設の連立型垂直循環式駐車装置を、ハイルーフ車用ケージを含む垂直循環式駐車装置に改造しても、乗り入れ面の段差の問題を生ずることのない、駐車装置改造方法を提供することを目的とする。
【課題を解決するための手段】
【０００９】
本発明の連立型垂直循環式駐車装置は、
入出庫口を有する第一駐車塔と、
この第一駐車塔に順次隣接して設置された第二駐車塔であって、ハイルーフ車を収容することができる特定駐車塔を含んだ少なくとも一棟の第二駐車塔と、
各駐車塔内に配設された上スプロケットおよび下スプロケットと、
この上スプロケットおよび下スプロケットに掛け回された無端の主務チェーンと、
この主務チェーンに吊り下げられた複数の車両搭載用のケージと、
各駐車塔に車両を搬送するための走行台車と、
入出庫階の床面に形成された、走行台車が駐車塔間を移動するためのピットとを備えており、
車両の入出庫口から見た最奧の駐車塔以外の駐車塔のケージ数はそれぞれ、主務チェーンに過不足無く連続して吊り下げられるケージ数より少なくとも一つ少なくされており、
上記主務チェーンが複数のリンクを連結することによって構成され、このリンクのうちの一部がケージを主務チェーンに吊り下げるためのアタッチメントリンクを構成しており、
上記特定駐車塔においては、全てのケージがその車両載置面から同一高さの部位が上記アタッチメントリンクに枢支されており、そのケージのうちハイルーフ車を収容するためのケージが中間部を上方に湾曲させられた吊り軸をその上部に有しており、主務チェーンにおけるアタッチメントリンクの配置されるリンクピッチが、ハイルーフ車用ケージに対応する部分と普通車用ケージに対応する部分とで異なるように構成されている。
【００１０】
上記車両載置面とは、たとえば車両搭載用のパレットが載置される面である。
【００１１】
上記第二駐車塔においては、全ケージが車両搭載用パレットを載置するための矩形の下枠を備えており、且つ、上記走行台車が旋回可能且つ昇降可能なパレット搭載部を有しており、上記矩形下枠のうち入出庫側の辺が、走行台車または搭載車両が通過しうるように切り欠かれている駐車装置が好ましい。
【００１２】
上記第二駐車塔においては隣接駐車塔との間の走行台車の移動方向に垂直である鉛直平面内でケージが循環するように構成されている駐車装置が好ましい。
【００１３】
上記第二駐車塔においては、全てのケージにパレットが着脱可能に載置されるように構成されている駐車装置が好ましい。
【００１４】
本発明の連立型垂直循環式駐車装置の改造方法は、
隣接して設置された複数の駐車塔と、各駐車塔内に配設された上スプロケットおよび下スプロケットと、この両スプロケット間に掛け渡された、連結された複数のリンクからなる無端の主務チェーンと、この主務チェーンに吊り下げられた複数の車両搭載用ケージと、入出庫階に形成されたピット内を通って各駐車塔に車両を搬送するための走行台車とを備え、上記複数のリンクのうちの一部が主務チェーンにケージを吊り下げるためのアタッチメントリンクである連立型垂直循環式駐車装置における、少なくとも一の駐車塔の上記車両搭載用ケージの少なくとも一部を普通車用ケージからハイルーフ車用ケージに改造するための方法であって、
このアタッチメントリンクに吊り下げられている普通車搭載用ケージのうちの少なくとも一部を、普通車搭載用ケージよりも高さ寸法の大きいハイルーフ車搭載用ケージに交換し、
上記アタッチメントリンクを配置するリンクピッチを、ハイルーフ車搭載用ケージの取り付け可能なリンクピッチに変更してケージを取り付けるものであり、
上記ハイルーフ車搭載用ケージが、車両搭載空間の上端が普通車搭載用ケージのそれより高く、車両載置面からアタッチメントリンクへの枢支部位までの寸法が普通車搭載用ケージのそれとほぼ同一である。
【００１５】
かかる改造方法において、上記ケージの交換およびアタッチメントリンクの配置替えに際し、アタッチメントリンクを含めた主務チェーンの全リンク数を改造前から加減しない条件で、吊下可能な最多ケージ数を決定するのが好ましい。
【００１６】
上記ケージの交換およびアタッチメントリンクの配置替えに際し、
アタッチメントリンクを含めた主務チェーンの全リンク数を改造前から加減しない条件で、吊下可能な最多ケージ数を仮決定し、
この最多数のケージを連続して主務チェーンに吊り下げた場合に、ケージ間に無駄空間を生じるリンクを除去するのが好ましい。
【００１７】
上記無駄空間とは、ケージ同士の間に不必要なリンクが存在することによって当該ケージ同士の間に生じた、いずれのケージも占有していない空間のことである。
【発明の効果】
【００１８】
本発明の駐車装置によれば、ハイルーフ車と普通車とをほとんど同一構造の駐車塔に収容することができる。すなわち、従来の普通車用の駐車装置から大きな設計変更を必要としない。
【００１９】
本発明の駐車装置の改造方法によれば、既設の駐車装置において車両乗り入れ面の段差解消のためにピットの掘り直しを行う必要がない。段差の問題すら生じない。
【発明を実施するための最良の形態】
【００２０】
添付の図面を参照しながら本発明の連立型垂直循環式駐車装置の実施形態を説明する。
【００２１】
図１は本発明の駐車装置の一実施形態を概略的に示す縦断面図である。図２は図１の駐車装置の入出庫階を示す平面図（図１のＩＩ−ＩＩ線矢視図）である。
【００２２】
図１に示す駐車装置１では同一形状の二棟の駐車塔２、３が相互に隣接した状態で連立して設置されている。もちろん駐車塔は二棟に限らず三棟以上であってもよい。図中左側の駐車塔２の地上階には入出庫口２０が形成されている。この入出庫口２０が形成された駐車塔２を第一駐車塔または入口側駐車塔と呼ぶ。入出庫口２０が形成されている壁面は、隣接する右側の駐車塔（奥側駐車塔ともいう）３とは反対側の壁面である。この奥側駐車塔３は入出庫口が形成されていない駐車塔ということで第二駐車塔３と呼ぶ。駐車装置が三棟以上の駐車塔を有している場合であっても、入出庫口を有する駐車塔が第一駐車塔であり、その他の二棟以上の駐車塔が第二駐車塔ということになる。三棟以上の駐車塔を備えた駐車装置では、第一駐車塔は特に端の駐車塔に限定されることはない。
【００２３】
本実施形態では、後述するように第一駐車塔２は普通車のみを収容する駐車塔であり、第二駐車塔３は普通車ＭＮとハイルーフ車ＭＨとの両方を収容する駐車塔である。ハイルーフ車ＭＨのみを収容する駐車塔、または、普通車ＭＮとハイルーフ車ＭＨとの両方を収容する駐車塔をともに特定駐車塔と呼ぶ。したがって、本実施形態では奥側駐車塔２が第二駐車塔であり且つ特定駐車塔でもある。本発明ではもちろん、両駐車塔２、３ともに特定駐車塔としてもよい。さらに、三棟以上の駐車塔を備えた駐車装置の場合、少なくとも一棟が特定駐車塔であればよい。
【００２４】
図１および図２に示すように、地上階では、第一駐車塔２と第二駐車塔３との界壁２１に車両通行用の開口２２が形成されている。上記入出庫口２０の外方には運転操作盤２３およびこの運転操作盤２３に接続された制御装置２４が配設されている。
【００２５】
各駐車塔２、３内の上部には上スプロケット４が取り付けられ、下部には下スプロケット５が取り付けられている。上スプロケット４と下スプロケット５には無端の主務チェーン６が掛け回されている。主務チェーン６には後述の車両搭載用ケージ１２、１３が吊り下げられている。さらに駐車塔２、３の上部にはモータ等からなる図示しない循環駆動装置が上スプロケット４と連結された状態で設置されている。この駆動装置を回転駆動させることにより上スプロケット４が回転し、ひいては主務チェーン６全体が上スプロケット４と下スプロケット５に掛け回された状態で回転する。図２に示すごとく上記入出庫口２０はケージ１２、１３の長手方向前方（図１における紙面上方）に形成されている。
【００２６】
第一駐車塔２および第二駐車塔３には、その入出庫階の床面に互いに連通したピット８が形成されている。図２に示すようにこのピット８は平面視でＨ字形を呈している。すなわち、ピット８は各駐車塔２、３個別のピット８ａ、８ｂとこれらピット８ａ、８ｂをつなぐ連通ピット８ｃとからなる。ピット８内部には両駐車塔間にわたって横行レール１０が敷設されており、この横行レール１０上には車両搭載用のパレット９を載せて駐車塔２、３間を横行する走行台車１１が配設されている。入口側駐車塔（第一駐車塔２）では各ケージ１２にパレット９が固定されているが、奥側駐車塔（第二駐車塔３）ではパレットがケージに対して着脱可能となっている。これは、第二駐車塔３への入出庫に際しては、第一駐車塔２と第二駐車塔３との間を走行台車１１が車両を搬送するときにパレットも一緒に搬送する必要があるからである。
【００２７】
また、第一駐車塔２では利用者の足場確保のために上記連通ピット８ｃを塞いで通行路を形成する可動デッキ２５が配設されている。本実施形態では、この可動デッキ２５は第一駐車塔のピット８ａに近接した連通ピット８ｃの部分の両側にそれぞれ配置されており、連通ピット８ｃを塞ぐ位置と開放する位置との間を水平移動しうるように構成されている。
【００２８】
第一駐車塔２は普通車ＭＮのみを収容するように構成されており、第二駐車塔３は普通車ＭＮといわゆるハイルーフ車ＭＨとの混載ができるように構成されている。すなわち、第一駐車塔２の主務チェーン６に吊り下げられた上記ケージは全て普通車用ケージ１２であるが、第二駐車塔３の主務チェーン６には普通車用ケージ１２とハイルーフ車用ケージ１３とが混在している。ハイルーフ車ＭＨはおおよそ１６０〜２０００ｃｍ程度の車高を有している。
【００２９】
また、第一駐車塔２のケージ８の個数は、主務チェーンに無駄な隙間無く連続して吊り下げられた場合のケージ数より一つ少なくされている。すなわち、第一駐車塔２の主務チェーンにはケージが存在しないスペースが一カ所存在する。これは、第二駐車塔３の出入庫の際に、走行台車１１に乗った車両がケージに干渉することなく第一駐車塔２を通過するためである。そして、車両が第一駐車塔２を通過するときには第一駐車塔２の主務チェーン６が循環して入出庫階Ｅにはケージが存在しないスペースが生じることになる（図１参照）。これは、第一駐車塔２が普通車のみを収容するタイプであることが理由ではなく、車両が通過することのある入口側駐車塔であることが理由である。したがって、三棟以上の駐車塔を備えた駐車装置の場合、奧端の駐車塔以外は全て上記入口側駐車塔と同様に、主務チェーンからケージを一台取り外しておくことになる。
【００３０】
図３には第一駐車塔２の主務チェーン６に普通車用ケージ１２が取り付いた状態が示されている。図１および図３に示すごとく、主務チェーン６は複数のリンク１４、１５が相互に回動可能に且つ全体がエンドレスに連結されることによって構成されている。本実施形態ではリンクの総本数は四十八本である。リンク同士は取り外し可能である。主務チェーン６には一カ所を除いて４リンクおきにケージ取着用のＴ字型アタッチメントリンク１５が配されている。このアタッチメントリンク１５以外のリンク１４には、アタッチメントリンク１５の突出部１５ａのような部分はない。上記一カ所（図１において最下部である入出庫階に位置している範囲）にはアタッチメントリンクに代えて普通のリンク１４が取り付けられ、この一カ所を含む範囲は普通のリンク１４のみが連続して７本連結されている。したがって、普通車用ケージ１２は主務チェーン６に対して上記一カ所を除いて４リンク間隔で吊り下げられており、総数で１１台となっている。なお、ケージの取り付け台数およびリンク数は例示であり、これには限定されない。
【００３１】
図４および図５にもケージの詳細が示されている。図４は、第二駐車塔３の主務チェーン６に普通車用ケージ１２（図中の上のケージ）とハイルーフ車用ケージ１３（図中の下のケージ）とが取り付いた状態を示している。図５はハイルーフ車用ケージ１３を例示している。図４に示すように普通車用ケージ１２とハイルーフ車用ケージ１３とを混在させた場合、図３に示す普通車用ケージ１２のみの場合に比べて、ハイルーフ車用ケージ１３が取り付いたアタッチメントリンク１５の上隣にリンク一本分の特別のスペースを形成する必要がある。すなわち、本実施形態ではハイルーフ車用ケージ１３を取り付けるためにリンク五本分のスペースが必要である。これは、ハイルーフ車用ケージ１３の全高寸法が、以下に述べるように普通車用ケージ１２のそれより大きいからである。さらに、ハイルーフ車用ケージ１３の下方にもリンク一本分のスペースをあけておく必要がある。循環経路が右から左へ移るときに隣接ケージ同士の干渉を避けるためである。
【００３２】
したがって、このままであると少なくとも混在させるハイルーフ車用ケージ１３の台数プラス一本だけ、リンク数が増加する。しかし、主務チェーンの長さをあまり長くすると、駐車塔の高さを高くしなければならないし、駆動装置も大きな出力のものに取り替える必要が出てくるかもしれない。そこで、混在させるハイルーフ車用ケージ１３の台数が増えると、全体のケージ数を減少させることによって主務チェーンの長さが大きく増減しないようにする。たとえば、ハイルーフ車用ケージ１３の台数が三台であればリンク数を四本増やさねばならないところ、普通車用ケージ１２を一台減らすことによって主務チェーン６の長さの大きな変化を回避する。このように処理すると、たとえば本実施形態（図１）では、第二駐車塔３のリンクの総数は第一駐車塔２のそれと同じく４８本となっている。
【００３３】
図１では、七台のハイルーフ車用ケージ１３および三台の普通車用ケージ１２の合計十台が取り付けられている。普通車用ケージ１２のみであれば十二台取り付けることができるところ、七台のハイルーフ車用ケージ１３を混在させることにより、リンクが八本増えるので、普通車用ケージを二台減少させている。
【００３４】
この実施形態では、ハイルーフ車用ケージ１３の車両収容スペースの高さ寸法を普通車用のそれよりリンク一本分だけ大きくすることによってハイルーフ車を収容できるものであり、主務チェーン６の長さの調節が容易なものである。しかし、かかる構成に限定されない。
【００３５】
図５に示すように、ケージ１３は、平面視で長方形の一長辺が切り欠かれた（開放された）コ字状を呈した下枠１６と、下枠１６の長手方向の両端（前後端）それぞれに立設されたほぼＵ字状のケージ枠１７と、前後の両ケージ枠１７の上端中央部同士をつなぐ吊り軸１８とから構成されている。下枠１６の一長辺が切り欠かれているのは、後述するように上記走行台車１１が横行してケージ１３の直下に出入りするときに走行台車や車両が下枠１６に干渉することを防止するためである。このケージ１３はハイルーフ車用であるため、その吊り軸１８はケージ枠１７への取付部である両端近傍を除いて上方に湾曲されている。これにより、前述したようにほぼリンク一本分だけケージの全高が大きくなり、ハイルーフ車を収容するためのスペースの高さ寸法が確保されている。普通車用のケージ１２では吊り軸１９が両取着端を真っ直ぐに結ぶ直線状を呈している（図３参照）。ハイルーフ車用および普通車用ともにその下枠１６およびケージ枠１７は同一寸法および同一形状である。したがって、両ケージ１２、１３ともそのパレット載置面からの吊り軸のケージ枠１７への取り付け位置の高さは同一となる。
【００３６】
図６に示すように、吊り軸１９の両端部はケージ枠１７から前後方向の外方へ突出しており、この突出した部分が、Ｔ字状アタッチメントリンク１５の突出部１５ａの先端部に回動可能に連結される。アタッチメントリンク１５の突出部１５ａの長さは、ケージ幅と、左右のケージ吊りに必要な間隔と、スプロケット直径との関係から決定されるが、一般的にこの長さはハイルーフ車用ケージの吊り軸１８の上方湾曲高さより大きい。したがって、前述のとおり、ハイルーフ車用ケージ１３のパレット載置面から吊り軸のケージ枠１７への取り付け位置までの高さ寸法を普通車用ケージ１２のものより大きくする必要がない。
【００３７】
図５に示すように、下枠１６の内側四隅にはパレット載置用のブラケット２６が固設されている。一方、パレット９の下面四隅における上記ブラケット２６に対応する位置には係止板２７が固設されている。対向二隅のブラケット２６には位置決めピン２８が上向きに突設されており、対応する係止板２７にはこの位置決めピン２８が貫入する係合孔２９が形成されている（図５（ｂ）参照）。この係合孔２９に位置決めピン２８が貫入するようにパレット９が下枠１６に載置されると、下枠１６に対してパレット９の位置決めがなされる。もちろん、位置決めピンが下向きに突設されたブラケットをパレットの四隅に固設し、係合孔が形成された係止板を下枠の内側四隅に固設してもよい。
【００３８】
上記走行台車１１は、旋回且つ昇降することができるパレット搭載部１１ａを備えている。本実施形態ではパレット搭載部１１ａは昇降して上段位置、中段位置および下段位置の各位置に停止させられる。上段位置はパレットを入出庫階Ｅにあるケージの下枠１６より若干上方に押し上げた位置である。これは、第二駐車塔３においてパレット搭載部１１ａ上のパレット９がケージ１２、１３に干渉することなく旋回させることができる位置であり、また、第一駐車塔２においてパレット９が車両通行床面と干渉せずに旋回させることができる位置である。この上段位置では、上記係止板２７はブラケットの位置決めピン２８が係止板２７の係合孔２９から抜け出るほどの上方に位置している。下段位置は旋回させた後のパレットを下枠１６に載置する位置より下方に退避した位置であるとともに、走行台車１１の走行時の高さ位置である。中段位置は、第一駐車塔の入出庫階Ｅにおいてパレットを車両の乗り入れ面（走行床面）に一致させる高さ位置（車両乗り込み位置）であり、第二駐車塔３の入出庫階Ｅにおけるケージの下枠１６より若干上方の位置である。
【００３９】
以上説明した本実施形態の駐車装置１の動作を、奥側駐車塔（第二駐車塔３）へのハイルーフ車ＭＨの入庫を例にとって説明する。
【００４０】
まず、図２に示すように第一駐車塔２ではケージが吊り下げられていない主務チェーン６の部分が入出庫階Ｅに位置している。また、第二駐車塔３の入出庫階Ｅにはハイルーフ車用ケージ１３が位置している。さらに、走行台車１１は前記ハイルーフ車用ケージ１３から取り出した空パレット９を搭載して第一駐車塔２のピット８ａに停止し、この空パレット９搭載部１１ａは中段位置に待機している。第一駐車塔２のピット８ａには走行台車１１が停止している。空パレット９が載置された走行台車１１の搭載部１１ａは中段位置に待機している。前述の可動デッキ２５が連通ピット８ｃを閉止している。そして、図１に示すようにハイルーフ車ＭＨが入出庫口２０から前進入場して上記パレット９上に乗り入れる（図１参照）。
【００４１】
車両ＭＨがパレット９上の正規位置に停車すると、利用者は降車して駐車塔２から退場する。つぎに、走行台車１１は搭載部１１ａを時計方向に９０゜旋回して車両ＭＨの前部を第二駐車塔３に向ける。走行台車１１は走行して車両ＭＨを第二駐車塔３に搬送する。搬送途中で搭載部１１ａが上段位置まで上昇させられる。図６（ａ）に示すように、パレット９が第二駐車塔３の入出庫階Ｅのケージ１３内に進入して所定位置に至ると走行台車１１が停止する。ついで、搭載部１１ａが時計方向に９０゜旋回させられ、車両ＭＨは入庫時からは１８０゜旋回して反対側を向くことになる。これにより、出庫時には前進出庫することができる。図６（ｂ）に示すように、搭載部１１ａが下段位置まで下降させられてパレット９がケージ１３の下枠１６上に位置決め載置される。
【００４２】
以上の動作ではパレットは第一駐車塔２において９０゜旋回させられ、第二駐車塔３において再度９０゜旋回させられたが、かかる手順に限定されない。たとえば、パレットを第一駐車塔２では旋回させずに、第二駐車塔３への搬送過程で上段位置まで上昇させたうえで１８０゜旋回させ、その後でパレット９を第二駐車塔３のケージ１３内に進入させてもよい。その後はパレットをケージの下枠に載置させるために下降させる上記手順と同じである。
【００４３】
または、第一駐車塔２の入出庫階においてパレットを上段位置まで上昇させ、さらに１８０゜旋回させたうえで第二駐車塔３へ搬送してもよい。そして、第二駐車塔３のケージ１３内にパレット９を進入させ、下段位置まで下降させてパレットを下枠に位置決め載置するのである。しかし、第一および第二の両駐車塔ともに普通車用ケージが備わった既設の連立駐車装置を図１に示す混載型の連立駐車装置に改造する場合、第一駐車塔の入出庫階におけいてハイルーフ車の屋根部分が上位のケージに乗ったパレットの下面と干渉するおそれがあればこの手順は採用し得ない。なお、出庫時は以上説明した手順を逆に実行すればよい。また、入口側駐車塔（第一駐車塔２）への入庫に際しては、入出庫階に一のケージ１２を位置させておけば、従来どおり車両はそのままケージ１２に固設されたパレット９に乗り入れることができる。
【００４４】
以上説明した実施形態では、両駐車塔２、３ともにそのケージが平行に配置されているが、この配置には限定されない。たとえば、図７に概略的に示すように、両駐車塔のケージの長手方向の向きが互いに垂直となるように配置されたものであってもよい。図７には４０およびパレット９のみが示されている。
【００４５】
図７（ａ）の駐車装置３１では、奥側の第二駐車塔３３がハイルーフ車用ケージのみ、または、普通車用ケージおよびハイルーフ車用ケージの両方を備えた特定駐車塔であるものを例示している。入口側の一棟の第一駐車塔３２は特定駐車塔であってもなくてもよい。第一駐車塔３２ではパレットがケージに固定されており、第二駐車塔３３ではパレット９はケージに着脱可能にされている。また、図７（ａ）の駐車装置３１では、第一駐車塔３２のケージの長手方向の向きが入出庫口３４からの車両入出方向と平行であり、第二駐車塔３３のケージの長手方向の向きが入出庫口３４からの車両入出方向に対して垂直である。
【００４６】
図７（ｂ）の駐車装置３５では、入口側の第一駐車塔３７がハイルーフ車用ケージのみ、または、普通車用ケージおよびハイルーフ車用ケージの両方を備えた特定駐車塔であり、奥側の第二駐車塔３６は特定駐車塔であってもなくてもよい。第一駐車塔３７および第二駐車塔３６ともにパレット９はケージに対して着脱可能にされている。また、第一駐車塔３７のケージの長手方向の向きが入出庫口３８からの車両入出方向に対して垂直であり、第二駐車塔３６のケージの長手方向の向きが入出庫口３８からの車両入出方向と平行である。さらに、この駐車装置３５では、第一駐車塔３７において図示しない走行台車によってパレット９が旋回させられるように構成されている。このために、ピット４０に近接した床面に、旋回するパレット９が干渉しないように、パレット９の旋回中心を中心にした円形の浅い凹所３９が形成されている。なお、この凹所３９の平面視半径を小さくするために、パレットの四隅を円弧状に切除してもよい。
【００４７】
もちろん、いずれの駐車装置３１、３５においても、その入口側駐車塔（第一駐車塔）３２、３７の主務チェーンには、ケージが吊り下げられていない部分が存在する。この理由は前述したとおりである。
【００４８】
図７（ａ）の駐車装置３１では、第二駐車塔３３へ入庫する際、入庫車両が入口側駐車塔（第一駐車塔）３２のピットに待機している走行台車に搭載されたパレットに乗り入れた後、この走行台車が奥側駐車塔（第二駐車塔）３３のケージ内に進入するまでに、または、進入してから９０゜旋回させられ、パレットが下降させられてケージの下枠に着座する。
【００４９】
一方、７（ｂ）の駐車装置３５では第一駐車塔３７が特定駐車塔であるので、車両は直接に第一駐車塔３７のピット内の走行台車に載置されたパレットに乗り入れる。これに先立ち、第一駐車塔３７のパレット９は走行台車によって上段位置に上昇させられてケージから脱し、９０゜旋回させられてその長手方向が車両の入出方向に向けられている。この高さ位置でパレットの車両載置面が入出庫階の床面にほぼ一致しており、車両が乗り入れ可能となる。車両がパレットの乗り入れて正規位置に停車し、利用者が浅い凹所３９を通って退場すると、パレット９は９０゜旋回させられたうえで下降させられ、ケージの下枠に載置される。
【００５０】
以上の実施形態はいずれも、特定駐車塔３（図２）、３３（図７（ａ））、３７（図７（ｂ））のケージの長手方向は車両の入出庫方向に対して垂直の方向に向けられているが、かかる構成（特定駐車塔への９０゜乗り入れ構造）に限定されない。以下のごとく、ケージの長手方向を車両の入出庫方向に平行に向けた構成（特定駐車塔への１８０゜乗り入れ構造）であってもよい。
【００５１】
図８に示す駐車装置４１は、入口側の第一駐車塔４２はもとより、特定駐車塔である奥側の第二駐車塔４３もそのケージの長手方向が車両ＭＨの入出庫方向に平行となっている。図８（ａ）にはピット４４が示されている。ピット４４内には前述の走行台車１１が配設されている。この走行台車１１は前述したものと同じく、そのパレット搭載部１１ａを昇降させて上段位置、中段位置および下段位置の各位置に停止させることができ、旋回させることもできる。ここでの下段位置は、パレット９がケージ４５、４６の下枠に干渉しないほど下方の位置である。
【００５２】
特定駐車塔４３には普通車用ケージ４５とハイルーフ車用ケージ４６とが備えられているが、図９にはそのうちのハイルーフ車用ケージ４６が代表として示されている。このケージ４６は図５のケージ１３とはその下枠４７の大きさ形状が異なっており、パレットの係止板２７の配置が異なっているだけで、その他の構造は同じである。同じ構成部品には同じ符号を付してその説明を省略する。図５のケージ１３の下枠１６はその一長辺が切り欠かれているが、図９の下枠４７はその一短辺が切り欠かれている（開放されている）。この構成により、ケージ４５、４６の長手方向に接近してくる走行台車１１は、それ自身や車両が下枠４７に干渉することなくこのケージ４５、４６の直下に進入することができる。上記係止板２７はパレット９の外周四隅に突設しており、この係止板に対応するケージ下枠４７の内周にブラケット２６が固定されている。したがって、下枠４７の幅は図５のケージ１３のそれより大きい。
【００５３】
かかる構成の駐車装置４１の動作を、特定駐車塔（第二駐車塔４３）へのハイルーフ車ＭＨの入庫を例にとって説明する。第一駐車塔４２では主務チェーン６のケージのない箇所が最下部に位置させられ、走行台車１１はパレット９を載せたその搭載部１１ａを中段位置にして入庫車両を待つ。第二駐車塔４３ではハイルーフ車用の空きケージ４６を最下部に位置させる。車両ＭＨが前進してパレットに乗り入れる。車両が正規位置に停車して利用者が退場すると搭載部１１ａが上段位置まで上昇して１８０゜旋回し、車両ＭＨの前部が入出庫口４８を向く。ついで、走行台車１１は搭載部１１ａを下段位置まで下降させて第二駐車塔４３に向けて移動する。
【００５４】
以下はパレット９とケージ４６とを示す図１０を参照する。図１０（ａ）および図１０（ｃ）では見やすさのために車両の図示を省略している。走行台車１１が第二駐車塔４３のケージ４６の下方を通り、車両ＭＨを搭載したパレット９がケージ４６の所定最奧位置の若干手前に至ったところで一旦停止する（図１０（ａ））。ここでは、図示のごとくパレット９の前端（図中の左端）の左右の係止板２７は下枠４７の前端の開放部より前方に外れた位置にあり、パレットの後端の左右の係止板２７は下枠４７前端のブラケット２６より後方に外れた位置にある。したがって、パレット９はケージの下枠４７に対して上下方向に通過可能な位置にある。
【００５５】
ここで図１０（ｂ）に示すように、走行台車が搭載部１１ａを上段位置まで上昇させる。上昇してもハイルーフ車ＭＨの前面は若干後傾しているため、この前面上部空間がちょうど前側ケージ枠１７の上部や吊り軸１８の段部に対応する。この結果、車両ＭＨの前部と前側ケージ枠１７の上部や吊り軸１８の段部との間に空間Ｓが存在するので、両者が干渉するおそれがない。また、パレット９の各係止板２７は下枠４７の各ブラケット２６より上方に位置している。
【００５６】
図１０（ｃ）に示すように、走行台車１１は残りの距離を右方へ走行して所定最奧位置に至って停止する。搭載部１１ａが下段位置まで下降し、パレット９の係止板２７が下枠４７のブラケット２６上に乗ってパレット９が下枠４７に位置決めされる。搭載部１１ａは下枠４７の下方に退避する。出庫時は以上の手順を逆に実行する。
【００５７】
ここで一例として、全ての駐車塔に普通車用ケージのみが設置された既設の連立型垂直循環式駐車装置がある場合に、このうちの一部（奥側）の駐車塔について普通車用ケージの一部または全部をハイルーフ車用ケージに変更する（特定駐車塔に変更する）改造方法を説明する。ハイルーフ車用ケージは前述したように、上方へ湾曲した吊り軸１８を有するケージ１３（４６）（図５および図６参照）を採用するものとする。この既設の駐車塔の主務チェーンは、前述と同様に一駐車塔当たり、ケージの過不足無く、１２台の普通車用ケージが連続して吊り下げることができるものとし、入口側駐車塔については一台少ない１１台の普通車用ケージが連続して吊り下げられているものとする。さらに、一台の普通車用ケージ１２（４５）に対して、一本のアタッチメントリンクを含む四本のリンクからなるリンク列を要しているものとする。また、一台のハイルーフ車用ケージに対しては、一本のアタッチメントリンクを含む五本のリンクからなるリンク列を要するものとする。
【００５８】
まず、何台かの既設の普通車用ケージ１２を最下部に下降させ、入出庫階において順次撤去する。主務チェーン６における、撤去した普通車用ケージ１２を吊り下げていた１本のアタッチメントリンク１５を含む４本の連続したリンク列Ａ（図３参照）を、最下部に移動させる。そして、このリンク列Ａを５本の連続したリンクからなる新たなリンク列Ｂ（図４参照）に交換する。この新たなリンク列Ｂは一本のアタッチメントリンク１５と四本の普通のリンク１４とを有している。新たなリンク列Ｂは既設のリンク列Ａよりリンク数が一本多いため、リンク列を交換したままであるとリンク数が増加して主務チェーンの全長が長くなる。そこで、前述したように、除去する普通車用ケージ１２の台数を取り付ける予定のハイルーフ車用ケージの台数より多くして主務チェーン６の全長が長くならないようにする。その結果、主務チェーンの必要リンク数が既設のものより少なくなることもある。その場合は、改造後のリンク数を既設のリンク数と同じくしてチェーンの長さに変化が生じないようにすることは容易である。ついで、新たなリンク列Ｂのアタッチメントリンク１５を順次最下部に移動させ、ハイルーフ車用ケージ１３を取り付けていく。
【００５９】
前述のとおり、ハイルーフ車用ケージ１３、４６におけるパレット載置面からアタッチメントリンク１５への取り付け位置までの高さ寸法は普通車用ケージ１２、４５のそれと同じであるから、奥側駐車塔の入出庫階のピットの改造は不要である。
【産業上の利用可能性】
【００６０】
本発明の駐車装置によれば、たとえば普通車しか収容しえない既設の連立型垂直循環式駐車装置の一部を、ハイルーフ車専用型または普通車とハイルーフ車との混載型の駐車塔に改造することが容易である。また、ハイルーフ車専用型または普通車とハイルーフ車との混載型の駐車塔を有する連立型垂直循環式駐車装置を新たに建造する場合でも、設計変更および追加部品が少ないので容易なものとなる。
【図面の簡単な説明】
【００６１】
【図１】本発明の駐車装置の一実施形態を概略的に示す縦断面図である。
【図２】図１の駐車装置の入出庫階を示す平面図（図１のＩＩ−ＩＩ線矢視図）である。
【図３】図１の駐車装置における普通車用ケージのみが設置された駐車塔の一部を示す正面図である。
【図４】図１の駐車装置におけるハイルーフ車用ケージと普通車用ケージとが混合して設置された駐車塔の一部を示す正面図である。
【図５】図５（ａ）は図１の駐車装置におけるハイルーフ車用ケージとパレットとを示す斜視図であり、図５（ｂ）は図５（ａ）におけるケージのブラケットおよびパレットの係止板を示す斜視図である。
【図６】図６（ａ）および図６（ｂ）ともに図１の駐車装置の第二駐車塔の入出庫階におけるケージを示す、図１のＶＩ−ＶＩ線断面図である。
【図７】図７（ａ）および図７（ｂ）はそれぞれ本発明の駐車装置の他の実施形態を概略的に示す平面図である。
【図８】図８（ａ）は本発明の駐車装置のさらに他の実施形態を概略的に示す縦断面図であり、図８（ｂ）は図８（ａ）のＶＩＩＩ−ＶＩＩＩ線断面図である。
【図９】図８の駐車装置における普通車用ケージとパレットとを示す斜視図である。
【図１０】図１０（ａ）は図８の駐車装置においてパレットが第二駐車塔のケージに到着する直前の状態を示す平面図、図１０（ｂ）はその側面図、図１０（ｃ）はパレットが第二駐車塔のケージに到着した状態を示す縦断面図である。
【符号の説明】
【００６２】
１・・・・駐車装置
２・・・・第一駐車塔
３・・・・第二駐車塔
４・・・・上スプロケット
５・・・・下スプロケット
６・・・・主務チェーン
８・・・・ピット
９・・・・パレット
１０・・・・横行レール
１１・・・・走行台車
１２・・・・普通車用ケージ
１３・・・・ハイルーフ車用ケージ
１４・・・・リンク
１５・・・・アタッチメントリンク
１６・・・・下枠
１７・・・・ケージ枠
１８・・・・（ハイルーフ車用）吊り軸
１９・・・・（普通車用）吊り軸
２０・・・・入出庫口
２１・・・・界壁
２２・・・・車両通行用開口
２３・・・・運転操作盤
２４・・・・制御装置
２５・・・・可動デッキ
２６・・・・ブラケット
２７・・・・係止板
２８・・・・位置決めピン
２９・・・・係合孔
３１・・・・駐車装置
３２・・・・第一駐車塔
３３・・・・第二駐車塔
３４・・・・入出庫口
３５・・・・駐車装置
３６・・・・第二駐車塔
３７・・・・第一駐車塔
３８・・・・入出庫口
３９・・・・浅い凹所
４０・・・・ピット
４１・・・・駐車装置
４２・・・・第一駐車塔
４３・・・・第二駐車塔
４４・・・・ピット
４５・・・・普通車用ケージ
４６・・・・ハイルーフ車用ケージ
４７・・・・下枠
Ｅ・・・・入出庫階
Ｍ・・・・車両
ＭＨ・・・・ハイルーフ車
ＭＮ・・・・普通車
Ｓ・・・・空間
【図１】
2005188244.tif 000003
【図２】
2005188244.tif 000004
【図３】
2005188244.tif 000005
【図４】
2005188244.tif 000006
【図５】
2005188244.tif 000007
【図６】
2005188244.tif 000008
【図７】
2005188244.tif 000009
【図８】
2005188244.tif 000010
【図９】
2005188244.tif 000011
【図１０】
2005188244.tif 000012